【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
生体適合性部材の改質方法であって、以下の工程：
ａ）少なくとも部分的に金属酸化物で被覆された生体適合性部材を備えること；及び
ｂ）該部材の部分が該金属酸化物で被覆された、その部材の少なくとも一部を、シュウ酸を含む水性組成物で処理すること；
を含み、そのことによって改質された金属酸化物が得られる、方法。
【請求項２】
工程ｂの組成物が、０.００１から５Ｍの範囲内の、好ましくは約１Ｍのシュウ酸濃度を有し；工程ｂの処理が、１０から６０分の範囲内の、そして好ましくは２０から４０分の範囲内の処理時間で実行される、請求項１記載の方法。
【請求項３】
処理時間が２０から３０分の範囲内、そしてより好ましくは約２５分である、請求項２記載の方法。
【請求項４】
工程ｂの組成物が、約２０℃から約１００℃の範囲内の；好ましくは６０℃から９０℃の範囲内の；そしてより好ましくは約８０℃の温度を有する、請求項１〜３の何れか１項に記載の方法。
【請求項５】
ｃ）ｉ）イオン化されたフッ素及びイオン化された塩素を含むグループから選ばれる少なくとも１つの材料；及び
ii）少なくとも１つの酸；
を含む第二の水性組成物で、改質された金属酸化物の少なくとも部分を処理する工程を更に含む、請求項１〜４の何れか１項に記載の方法。
【請求項６】
改質された金属酸化物上に不動態化酸化物が形成される前に、工程ｃが実行される、請求項５に記載の方法。
【請求項７】
工程ｂの完了後、０℃又はそれより高い温度で、そして酸素含有大気における通常の大気圧で、部材が保持される時間としてカウントされた、１８０時間又はそれより短い時間以内で、工程ｃが実行される、請求項５又は６に記載の方法。
【請求項８】
工程ｂの完了後、７２時間又はそれより短い時間以内で、工程ｃが実行される、請求項５〜７の何れか１項に記載の方法。
【請求項９】
工程ｂの完了後、２４時間又はそれより短い時間以内で、工程ｃが実行される、請求項５〜７の何れか１項に記載の方法。
【請求項１０】
工程ｂの完了後、１時間又はそれより短い時間以内で、工程ｃが実行される、請求項５〜７の何れか１項に記載の方法。
【請求項１１】
工程ｂの完了後、１０分又はそれより短い時間以内で、工程ｃが実行される、請求項５〜７の何れか１項に記載の方法。
【請求項１２】
第二の水性組成物がフッ化水素酸を含む、請求項５〜１１の何れか１項に記載の方法。
【請求項１３】
第二の水性組成物が、０.５から５の範囲内、好ましくは１から３の範囲内、そしてより好ましくは約２のｐＨ；０.０２から０.５Ｍの範囲内、好ましくは０.０５から０.３Ｍの範囲内、そしてより好ましくは約０.１Ｍの、イオン化されたフッ素及びイオン化された塩素を含むグループから選ばれる少なくとも１つの材料の濃度を有し；そして１０秒から３分の範囲内、そしてより好ましくは１０秒から５０秒の範囲内の活性化処理時間で工程ｃの処理が実行される、請求項５〜１２の何れか１項に記載の方法。
【請求項１４】
第二の水性組成物が１５℃から２５℃の範囲内の；そして好ましくは１８℃から２３℃の範囲内の温度を有する、請求項５〜１３の何れか１項に記載の方法。
【請求項１５】
工程ｂの水性組成物が骨成長増強物質を含む、請求項１〜１４の何れか１項に記載の方法。
【請求項１６】
第二の水性組成物が骨成長増強物質を含む、請求項５〜１５の何れか１項に記載の方法。
【請求項１７】
骨成長増強物質が金属イオン又はそれらの塩を含む、請求項１５又は１６に記載の方法。
【請求項１８】
金属イオンが、チタンイオン、マグネシウムイオン、カルシウムイオン、リチウムイオン、ストロンチウムイオン、又はそれらの如何なる組合せから成るグループから選ばれるイオンを含む、請求項１７に記載の方法。
【請求項１９】
金属イオンがリチウムイオンを含む、請求項１７に記載の方法。
【請求項２０】
金属イオンがストロンチウムイオンを含む、請求項１７に記載の方法。
【請求項２１】
部材が少なくとも部分的にチタン又はチタン合金から成る、請求項１〜２０の何れか１項に記載の方法。
【請求項２２】
金属酸化物が酸化チタンを含む、請求項１〜２１の何れか１項に記載の方法。
【請求項２３】
金属酸化物が本質的に酸化チタン又は酸化チタンの組合せから成る、請求項１〜２２の何れか１項に記載の方法。
【請求項２４】
金属酸化物が不動態化酸化チタンを含む、請求項１〜２３の何れか１項に記載の方法。
【請求項２５】
工程ｂの前の部材が機械的表面処理にかけられる、請求項１〜２４の何れか１項に記載の方法。
【請求項２６】
機械的表面処理がブラスチングを含む、請求項２５に記載の方法。
【請求項２７】
工程ｂの前の部材が化学的表面処理にかけられる、請求項１〜２６の何れか１項に記載の方法。
【請求項２８】
化学的表面処理が脱脂又は洗浄処理を含む、請求項２７記載の方法。
【請求項２９】
生体適合性部材が、インプラント、固定具、橋脚歯、ワンピースインプラント又はそれらの組合せから成るグループから選ばれる歯科用部材である、請求項１〜２８の何れか１項に記載の方法。
【請求項３０】
生体適合性部材が整形外科用部材である、請求項１〜２８の何れか１項に記載の方法。
【請求項３１】
請求項１〜３０の何れか１項に記載の方法によって得られ得る部材。
【請求項３２】
生体適合性部材をヒト又は動物の体内にインプラントする方法であって、以下の工程：
ｉ）請求項３１記載の生体適合性部材を備えること；及び
ii）該生体適合性部材をヒト又は動物の体にインプラントすること；
を含む方法。
【請求項３３】
部材がヒト又は動物の体の歯周領域内にインプラントされる、請求項３２記載の方法。
【請求項３４】
生体適合性部材であって：
ａ）プラトー及び／又はリッジによって分離されたピットを含む微細構造；及び
ｂ）該微細構造の上に重なっている一次ナノ構造、ここで該一次ナノ構造は波状の形に配置された窪みを含む；
を含む表面を有する基体を含む生体適合性部材。
【請求項３５】
微細構造が、０.５から１５μｍの範囲内の、好ましくは１から１０μｍの範囲内のピット直径；０.１から２.５μｍの範囲内の、そして好ましくは０.１から１μｍの範囲内の深さ；及び０から１０μｍの範囲内の互いに隣接するピット間の距離を有する、請求項３４に記載の生体適合性部材。
【請求項３６】
一次ナノ構造の窪みが１０ｎｍから１μｍの範囲内の、好ましくは１０ｎｍから６００ｎｍの範囲内の、そしてより好ましくは１０ｎｍから５００ｎｍの範囲内の直径；及び１０ｎｍから３００ｎｍの範囲内の、好ましくは３０から１５０ｎｍの範囲内の深さを有する、請求項３４又は３５に記載の生体適合性部材。
【請求項３７】
一次ナノ構造の個々の窪みの直径が、該個々の窪みの深さを超える、請求項３４〜３６の何れか１項に記載の生体適合性部材。
【請求項３８】
一次ナノ構造の窪みの直径が、該窪みが重なる微細構造のピットの直径より小さく、そして該一次ナノ構造の窪みの深さが、該窪みが重なる上記微細構造のピットの深さより小さい、請求項３４〜３７の何れか１項に記載の生体適合性部材。
【請求項３９】
一次ナノ構造の窪みの境界の少なくとも部分が、該一次ナノ構造の他の窪みの境界の少なくとも部分を構成する、請求項３３〜３８の何れか１項に記載の生体適合性部材。
【請求項４０】
部材が機械的表面処理にかけられている、請求項３３〜３９の何れか１項に記載の生体適合性部材。
【請求項４１】
機械的表面処理がブラスチングを含む、請求項４０記載の方法。
【請求項４２】
基体が少なくとも部分的にチタン又はチタン合金から成る、請求項３４〜４１の何れか１項に記載の生体適合性成分。
【請求項４３】
基体がチタンから成る、請求項３４〜４１の何れか１項に記載の生体適合性成分。
【請求項４４】
一様に分布したパターンで一次ナノ構造の上に重なっていて、丸みのあるピークの形状を有する分離した突起を含む、二次ナノ構造を更に含む、請求項３４〜４３の何れか１項に記載の生体適合性部材。
【請求項４５】
二次ナノ構造が、２０から５５０ｎｍの範囲内の、好ましくは２０から１５０ｎｍの範囲内のピーク直径；５から２００ｎｍの範囲内の、好ましくは５から１００ｎｍの範囲内の平均ピーク高さ；そして１０から４５０ｎｍの範囲内の、好ましくは４０から２００ｎｍの範囲内のピーク間距離を有する、請求項４４に記載の生体適合性部材。
【請求項４６】
二次ナノ構造が、１５から１５０ピーク／平方μｍの範囲内の、そして好ましくは５０から１３０ピーク／平方μｍの範囲内のピーク密度を含む、請求項４４又は４５に記載の生体適合性部材。
【請求項４７】
ナノ要素が金属酸化物を含む、請求項４４〜４６の何れか１項に記載の生体適合性部材。
【請求項４８】
ナノ要素が酸化チタンを含む、請求項４７に記載の生体適合性部材。
【請求項４９】
表面が骨成長増強物質を含む、請求項３４〜４８の何れか１項に記載の生体適合性部材。
【請求項５０】
ナノ要素の少なくとも一部が骨成長増強物質を含む、請求項４４〜４９の何れか１項に記載の生体適合性部材。
【請求項５１】
骨成長増強物質が、チタンイオン、マグネシウムイオン、カルシウムイオン、リチウムイオン、ストロンチウムイオン、又はそれらの任意の組合せから成るグループから選ばれる金属イオン又はその塩を含む、請求項４９又は５０に記載の生体適合性部材。
【請求項５２】
骨成長増強物質がリチウムイオンを含む、請求項４９又は５０に記載の生体適合性部材。
【請求項５３】
骨成長増強物質がストロンチウムイオンを含む、請求項４９、５０及び５２の何れか１項に記載の生体適合性部材。
【請求項５４】
部材が、インプラント、固定具、橋脚歯、ワンピースインプラント又はそれらの組合せから成るグループから選ばれる歯科用部材である、請求項３４〜５３の何れか１項に記載の生体適合性部材。
【請求項５５】
部材が整形外科用部材である、請求項３４〜５３の何れか１項に記載の生体適合性部材。
【請求項５６】
生体適合性部材をヒト又は動物の体内にインプラントする方法であって、以下の工程：
ｉ）請求項３４〜５５の何れか１項に記載の生体適合性部材を備えること；及び
ii）該生体適合性部材をヒト又は動物の体にインプラントすること；
を含むインプラント方法。
【請求項５７】
部材がヒト又は動物の体の歯周領域内にインプラントされる、請求項５６記載の方法。